(57)【要約】【課題】撮像部で操作者を撮像しながら、操作者による操作によって所定の情報を容易に入力することができ、かつ操作者以外の被写体を撮像する場合でも、撮像の具合が正確に分かる通信装置を提供する。【解決手段】通信装置３１は、一表面側に臨んで所定の表示内容を表示する第１表示部３２、他表面側に臨んで所定の表示内容を表示する第２表示部３３、第１表示部３２の表示方向と同一側に望んで撮像方向が設定され、入射光を電気的な信号に変換して画像データを生成する撮像部３４が設けられる第１ケーシング３６と、一表面側から操作者による操作によって所定の情報を入力する入力部３７が設けられる第２ケーシング３８とを含む。操作者は、操作者自身を被写体として撮像部３４で撮像しながら、入力部３７から所定の情報を容易に入力することができ、撮像部３４で生成された画像データは、第１および第２表示部３２，３３に表示させることができる。【選択図】　　　図１
2004112703.tif 000002
【特許請求の範囲】
【請求項１】
一表面側に臨んで所定の表示内容を表示する第１表示部と、
操作者による操作によって所定の情報を、少なくとも前記一表面側から入力する入力部と、
第１表示部の表示方向と同一側に臨んで撮像方向が設定され、入射光を電気的な信号に変換して画像データを生成する撮像部と、
第１表示部とは反対側の他表面側に臨んで、少なくとも第１表示部に表示される表示内容に関連する所定の表示内容を表示する第２表示部と、
前記入力部から入力された所定の情報に応答し、第１および第２表示部のうち少なくともいずれか一方に所定の表示内容を表示させる制御部と、
制御部によって制御され、撮像部が生成した画像データおよび入力部から入力された情報のうち少なくともいずれか一方を送信し、かつ所定の情報を受信する通信部とを含むことを特徴とする通信装置。
【請求項２】
前記撮像部の受光部を開閉自在に覆う遮光性材料から成るカバー部材と、
カバー部材の前記開閉状態を検出する開閉検出部とを含み、
前記制御部は、開閉検出部の検出結果に基づいて、カバー部材が開放状態であれば撮像部に撮像させ、かつカバー部材が閉鎖状態であれば撮像部による撮像を停止させることを特徴とする請求項１記載の通信装置。
【請求項３】
前記入力部は、操作者による操作によって所定の情報を、前記一表面側から入力する第１入力部と、操作者による操作によって所定の情報を、前記他表面側から入力する第２入力部とを含み、
前記制御部は、前記第１および第２入力部のうちいずれか一方から入力された所定の情報に応答し、第１および第２入力部のうちいずれか一方と同一側に臨む表示部に、撮像部で生成された画像データを表示させることを特徴とする請求項１記載の通信装置。
【請求項４】
制御部によって制御され、撮像部が生成した画像データが保存される記憶部を含み、
前記入力部は、操作者による操作によって所定の情報を、前記一表面側から入力する第１入力部と、操作者による操作によって所定の情報を、前記他表面側から入力する第２入力部とを含み、
前記制御部は、前記第１および第２入力部のうちいずれか一方から入力された所定の情報に応答し、撮像部で生成した画像データを第１および第２表示部のうちいずれか一方に表示させた状態で、その表示部と同一側に臨む第１および第２入力部のうちいずれか一方から入力された所定の情報に応答して、第１および第２表示部のうちいずれか一方に表示されている画像データを記憶部に保存することを特徴とする請求項１記載の通信装置。
【請求項５】
前記制御部は、入力部から入力された情報に応答して、撮像部で生成された画像データを即時に第１表示部に表示させる場合には、その画像データを左右および上下の少なくともいずれか一方を反転して表示させることを特徴とする請求項１記載の通信装置。
【請求項６】
制御部によって制御され、撮像部が生成した画像データが保存される記憶部を含み、
前記制御部は、入力部から入力された情報に応答して、撮像部で生成された画像データを記憶部に保存し、この記憶部に保存された画像データを表示させる場合には、第１および第２表示部のいずれであっても、その画像データを左右を反転させずにそのまま表示させることを特徴とする請求項１記載の通信装置。
【請求項７】
第１表示部および第１入力部は、装置本体に設けられ、第２表示部および第２入力部の少なくともいずれか一方は、前記装置本体に着脱自在に設けられることを特徴とする請求項３または４記載の通信装置。
【請求項８】
音声信号を入力する音声入力部と、
音声信号を出力する音声出力部とを含み、
音声入力部から入力した音声信号は、前記通信部を介して送信され、通信部を介して受信された音声信号は、音声出力部から出力されることを特徴とする請求項１〜７のいずれか１つに記載の通信装置。
【発明の詳細な説明】
【０００１】
【発明の属する技術分野】
本発明は、撮像部および表示部を有する携帯型電話装置、小電力の無線通信装置、および赤外線通信装置などの通信装置に関する。
【０００２】
【従来の技術】
図２６は、第１の従来の技術の通信装置１の一表面側から見た斜視図であり、図２７は通信装置１の他表面側から見た斜視図である。通信装置１は、所定の表示内容を表示する第１表示部２、所定の表示内容を表示する第２表示部３、および入射光を電気的な信号に変換して画像データを生成する撮像部４が設けられる第１ケーシング６と、操作者による操作によって所定の情報を入力する入力部７が設けられる第２ケーシング８とを含み、第１ケーシング６の一端部９と第２ケーシング８の一端部１０とが、ヒンジ部１１によって相互に接続される折り畳み形の携帯型電話機である。なお図２６および図２７では、ヒンジ部９を中心として、第１ケーシング６および第２ケーシング８を所定の角度に展開した状態の通信装置１を示す。
【０００３】
前記第１表示部２、第２表示部３、撮像部４および入力部７は、第１または第１ケーシング６，８の内部に設けられる制御部によって制御される。また通信装置１は、前記制御部によって制御され、撮像部４が生成した画像データおよび入力部７から入力された情報のうち少なくともいずれか一方を送信し、かつ所定の情報を受信する通信部を有し、通信部の一部を形成するアンテナ１２が第１ケーシング６に設けられる。また第１ケーシング６の遊端部１３にはスピーカ１４が設けられ、第２ケーシングの他端部１５にはマイクロフォン１６が設けられ、通信部を介して通話することができる。
【０００４】
第１表示部２は、第１ケーシング６の一表面側に臨んで設けられ、第２表示部３は、第１ケーシング６の他表面側に臨んで設けられる。撮像部５は、第２表示部３の表示方向と同一側に臨んで撮像方向が設定される。入力部７は、第２ケーシング８の一方面側に臨んで設けられる。第１ケーシング６の一表面１７と、第２ケーシング８の一表面１８とは、第１ケーシング６および第２ケーシング８を折り畳んだ状態で、第１ケーシング６と第２ケーシング８とが相互に臨む面とする。
【０００５】
通信装置１の撮像部４によって撮像する場合には、操作者自身を被写体として撮像する場合と、操作者以外の他の被写体を撮像する場合とがある。操作者自身を被写体として撮像する場合には、入力部７から入力される所定の情報に応答して、制御部が第２表示部３に撮像部で生成された画像データを表示させることよって、操作者以外の他の被写体を撮像する場合には、入力部７から入力される所定の情報に応答して、制御部が第１表示部２に撮像部４で生成された画像データを表示させることによって、撮像部４が撮像する範囲内に被写体が入っているかなどの撮像の具合を操作者が常に確認しながら撮像することができる。
【０００６】
図２８は、第２の従来の技術である通信装置２１の一表面側から見た斜視図であり、図２９は通信装置２１の他表面側から見た斜視図である。通信装置２１は、前述した図２６および図２７に示す通信装置１と同様な構成であるので、同様な構成には、同一の符号を付してその説明を省略する。なお図２８および図２９では、ヒンジ部１１を中心として、第１ケーシング６および第２ケーシング８を所定の角度に展開した状態の通信装置２１を示す。
【０００７】
通信装置２１では、第１ケーシング６の遊端部１３に可動部２２が設けられ、この可動部２２に撮像部４が設けられる。可動部２２は、ヒンジ部１１の中心線に略平行な軸線まわりに少なくとも１８０°の範囲で回動自在に設けられる。可動部２２を回動させて、撮像部４の受光部２３を第１表示部２が臨む方向および第２表示部３が臨む方向と同一方向に臨ませて撮像することができる。
【０００８】
第３の従来の技術の通信装置は、所定の表示内容を表示する表示部と、入射光を電気的な信号に変換して画像データを生成する撮像部と、操作者の操作によって、所定の情報を入力する入力部と、光学ファインダと有する。前記表示部、撮像部、入力部および光学ファインダは１つのケーシングに設けられる（たとえば、特許文献１）。
【０００９】
前記表示部は、ケーシングの一表面側に臨んで設けられ、撮像部は、前記表示部３の表示方向と同一側に臨んで撮像方向が設定され、入力部は、装置の一方面側に臨んで設けられる。操作者は、操作者以外の他の被写体を撮像部で撮像する場合、ケーシングの他表面側から光学ファインダを覗くことによって、撮像部によって撮像される範囲を確認することができる。
【００１０】
【特許文献１】
特開２００１−３２０４５４号公報
【００１１】
【発明が解決しようとする課題】
上述の図２６および図２７に示される第１の従来の技術の通信装置１では、操作者が操作者自身を被写体として撮像部４によって撮像する場合、撮像部４の撮像方向を操作者自身に向う方向とするので、入力部７が第２ケーシング８を挟んで、操作者とは反対側に位置する。したがって操作者は、撮像部４によって操作者自身を撮像しながら入力部７から所定の情報を入力することが困難である。
【００１２】
通信装置１を、双方向に画像データの送受信が行われるいわゆるテレビジョン電話として使用する場合、操作者自身を被写体として撮像部で生成された画像データを通信部から送信しながら、同時に操作者が入力部から入力した文字データなどを送信したり、通信装置１の操作を行ったりすることが難しい。
【００１３】
図２８および図２９に示される第２の従来の技術の通信装置２１では、操作者自身を撮像しながら、入力部７から所定の情報の入力を行なうことができるが、可動部２２は、回動可能とするので、第１ケーシング６の本体とは別体で設ける必要があるので、設計上の自由度が小さくなり、装置全体の寸法を小さくすることが困難になる。さらに可動部２２は、機械的に回動可能に設けられるので構成が複雑となり、また撮像部４と制御部などの間の電気的な接続の信頼性が低下する。
【００１４】
第３の従来の技術の通信装置では、光学ファインダは、ケーシングの一表面側と他表面側とにわたってケーシングを貫通して設ける必要があるので、設計上の自由度が小さくなり、また装置全体のサイズを小形化することが難しい。作業者以外を被写体として撮像する場合には、作業者は光学ファインダを覗くことによって撮像範囲を把握することができるが、操作者が光学ファインダで覗いたときに見える範囲と、撮像部で撮像される撮像範囲とは実際には異なるので、操作者には正確な撮像範囲が分からない。さらに撮像部で生成された画像データを表示部に表示したときにどのように見えるかは、画像データを記憶部などに保存した後に、この画像データを表示部に表示させて確認する必要があり、操作が煩わしいといった問題がある。
【００１５】
本発明の目的は、設計上の自由度を高くして、装置を小形化することができ、撮像部で操作者を撮像しながら、操作者による操作によって所定の情報を容易に入力部から入力することができ、かつ操作者以外の被写体を撮像する場合でも、撮像の具合が正確に分かる通信装置を提供することである。
【００１６】
【課題を解決するための手段】
本発明は、一表面側に臨んで所定の表示内容を表示する第１表示部と、
操作者による操作によって所定の情報を、少なくとも前記一表面側から入力する入力部と、
第１表示部の表示方向と同一側に臨んで撮像方向が設定され、入射光を電気的な信号に変換して画像データを生成する撮像部と、
第１表示部とは反対側の他表面側に臨んで、少なくとも第１表示部に表示される表示内容に関連する所定の表示内容を表示する第２表示部と、
前記入力部から入力された所定の情報に応答し、第１および第２表示部のうち少なくともいずれか一方に所定の表示内容を表示させる制御部と、
制御部によって制御され、撮像部が生成した画像データおよび入力部から入力された情報のうち少なくともいずれか一方を送信し、かつ所定の情報を受信する通信部とを含むことを特徴とする通信装置である。
【００１７】
本発明に従えば、操作者が操作者自身を被写体として撮像するために、撮像部の撮像方向を操作者自身に向けた場合、第１表示部の表示方向は、操作者に向う方向となり、入力部は操作者に臨むので、操作者は、操作者自身を被写体として撮像部で撮像しながら、第１表示部に表示される所定の表示内容を見ることができるとともに、入力部から所定の情報を容易に入力することができる。
【００１８】
前記入力部から入力された所定の情報に応答して、制御部は、撮像部で生成された画像データ、入力部から入力された情報、通信部で受信した所定の情報のうち少なくともいずれか１つを第１および第２表示部の少なくともいずれか一方に表示させることができる。これによって第１および第２表示部の少なくともいずれか一方には、所定の表示内容が前記入力された所定の情報に応じて表示される。
【００１９】
操作者自身を被写体として撮像部で撮像している場合には、撮像部と入力部とが同一側に臨んで配置され、入力部から所定の情報の入力を容易に行なうことができるので、通信装置を裏表反転することなしに、操作者自身を被写体として撮像部で生成された画像データを、操作者が同時に入力部から入力した情報とともに通信部から送信することができ、通信部から受信した情報を第１表示部に表示させて視認することができる。
【００２０】
また操作者が操作者自身を被写体として撮像部で撮像している場合には、入力部から所定の情報を入力することによって、撮像部で生成された画像データを少なくとも第１表示部に表示させることができ、撮像部によって操作者が操作者以外の他の被写体を撮像しているときには、入力部から所定の情報を入力することによって、撮像部で生成された画像データを少なくとも第２表示部に表示させることができる。
【００２１】
したがって、操作者は、操作者自身を撮像する場合および撮像部の撮像方向を操作者以外に向けて、操作者以外の他の被写体を撮像する場合のいずれの場合であっても、撮像部で生成された画像データを操作者側に臨んでいる表示部に表示させて、どのような表示内容として表示されるのかといった撮像の具合を容易に確認することができる。
【００２２】
他の従来の技術の通信装置のように、撮像部を回動させる構成としなくても、操作者自身を被写体として撮像部で撮像しながら入力部から入力を行なうことができ、また撮像部で生成された画像データを第１および第２表示部の少なくともいずれか一方に表示させて、撮像の具合を確認することができるとともに、他の従来の技術の通信装置のように光学ファインダを設ける必要がないので、設計上の制約を少なくすることができ、設計上の自由度が向上し、装置を小形化することができる。
【００２３】
また本発明は、前記撮像部の受光部を開閉自在に覆う遮光性材料から成るカバー部材と、
カバー部材の前記開閉状態を検出する開閉検出部とを含み、
前記制御部は、開閉検出部の検出結果に基づいて、カバー部材が開放状態であれば撮像部に撮像させ、かつカバー部材が閉鎖状態であれば撮像部による撮像を停止させることを特徴とする。
【００２４】
本発明に従えば、撮像部によって撮像しない場合には、カバー部材を閉鎖状態にして撮像部の受光部を覆うことによって、たとえばレンズなどの撮像部を構成する光学的な部品が不用意に手指および物体などに接触して損傷することを防止することができる。カバー部材を閉鎖状態から開放状態とすると、開閉検出部の検出結果に基づいて、撮像部による撮像が開始されるので、入力部から撮像部に撮像を行なわせるための情報を入力するといった、複雑な操作を行う必要がなく、簡単な操作で撮像することができる。また、カバー部材を開放状態から閉鎖状態とすると、開閉検出部の検出結果に基づいて、撮像部による撮像が停止されるので、入力装置などを操作して撮像を停止させるような複雑な操作を行う必要がなく、簡単な操作で撮像を停止させることができる。
【００２５】
また本発明は、前記入力部は、操作者による操作によって所定の情報を、前記一表面側から入力する第１入力部と、操作者による操作によって所定の情報を、前記他表面側から入力する第２入力部とを含み、
前記制御部は、前記第１および第２入力部のうちいずれか一方から入力された所定の情報に応答し、第１および第２入力部のうちいずれか一方と同一側に臨む表示部に、撮像部で生成された画像データを表示させることを特徴とする。
【００２６】
本発明に従えば、撮像部で生成した画像データを第１および第２表示部のうち少なくともいずれか一方に表示させるときに、操作者による操作によって第１入力部から所定の情報が入力された場合には、制御部がこの第１入力部と同一側に臨む第１表示部に前記画像データを表示させ、操作者による操作によって第２入力部から所定の情報が入力された場合には、制御部がこの第２入力部と同一側に臨む第２表示部に前記画像データを表示させる。したがって撮像部で生成した画像データを第１表示部に表示させる場合には、第１表示部が臨む一表面側から第１入力部に所定の情報を入力し、撮像部で生成した画像データを第２表示部に表示させる場合には、第２表示部が他表面側から第２入力部から所定の情報を入力することによって、画像データを操作者側に臨んでいる表示部に容易に表示させることができる。
【００２７】
また本発明は、制御部によって制御され、撮像部が生成した画像データが保存される記憶部を含み、
前記入力部は、操作者による操作によって所定の情報を、前記一表面側から入力する第１入力部と、操作者による操作によって所定の情報を、前記他表面側から入力する第２入力部とを含み、
前記制御部は、前記第１および第２入力部のうちいずれか一方から入力された所定の情報に応答し、撮像部で生成した画像データを第１および第２表示部のうちいずれか一方に表示させた状態で、その表示部と同一側に臨む第１および第２入力部のうちいずれか一方から入力された所定の情報に応答して、第１および第２表示部のうちいずれか一方に表示されている画像データを記憶部に保存することを特徴とする。
【００２８】
本発明に従えば、第１表示部に表示されている画像データを記憶部に保存させる場合には、第１表示部と同一側に設けられる第１入力部から所定の情報を入力することによって撮像部で生成された画像データを保存することができる。第２表示部に表示されている画像データを記憶部に記憶させる場合には、第２表示部と同一側に設けられる第２入力部から所定の情報を入力することによって撮像部で生成された画像データを保存することができる。したがって、操作者は画像データを表示させたいずれかの表示部を見ながら、画像データを記憶部に保存するための所定の情報を容易に入力することができるので、保存される画像データを確認することができ、不所望な画像データが記憶部に保存されることが防がれる。
【００２９】
また本発明は、前記制御部は、入力部から入力された情報に応答して、撮像部で生成された画像データを即時に第１表示部に表示させる場合には、その画像データを左右および上下の少なくともいずれか一方を反転して表示させることを特徴とする。
【００３０】
本発明に従えば、撮像部で生成された画像データを即時に第１表示部に表示される場合には、画像データを上下および左右の少なくともいずれか一方を反転して表示させるので、撮像部の撮像方向を所定方向に移動させたときに、第１表示部に表示される被写体画像の画面上での移動方向を前記所定方向とは逆方向とすることができる。
【００３１】
たとえば制御部が画像データを左右を反転して第１表示部に表示させた場合、操作者が第１表示部に向った状態で、撮像部の撮像方向を右に移動すると、画面上の被写体画像は左に移動し、撮像部の撮像方向を左に移動すると、画面上の被写体画像は右に移動するので、操作者自身を被写体として撮像する場合に、操作者は鏡を見るような感覚で自分自身を撮像することができるので、撮像範囲を調整しやすくなる。
【００３２】
また本発明は、制御部によって制御され、撮像部が生成した画像データが保存される記憶部を含み、
前記制御部は、入力部から入力された情報に応答して、撮像部で生成された画像データを記憶部に保存し、この記憶部に保存された画像データを表示させる場合には、第１および第２表示部のいずれであっても、その画像データを左右を反転させずにそのまま表示させることを特徴とする。
【００３３】
本発明に従えば、記憶部に保存された画像データを第１表示部および第２表示部の少なくともいずれか一方に表示させるときには、画像データを左右を反転しないでそのまま表示させるので、前記表示部に表示される被写体画像は、被写体を見たとおりに表示される。
【００３４】
また本発明は、第１表示部および第１入力部は、装置本体に設けられ、第２表示部および第２入力部の少なくともいずれか一方は、前記装置本体に着脱自在に設けられることを特徴とする。
【００３５】
本発明に従えば、第２表示部および第２入力部の少なくともいずれか一方は、第１表示部および第１入力部が設けられる装置本体に着脱可能に設けられるので、たとえば第２表示部を装置本体から離脱させた状態で、撮像部で撮像される画像データを表示させることによって、操作者は、装置本体から離れた場所にいても、撮像部の撮像の具合を確認することができる。またたとえば第２入力部を装置本体から離脱させることによって、操作者は装置本体から離れた場所にいても、所定の情報を入力することができる。またたとえば第２表示部および第２入力部を装置本体から離脱させた状態で、撮像部で撮像される画像データを第２表示部に表示させることによって、操作者は、装置本体から離れた場所にいても、第２表示部を見ながら撮像部の撮像の具合を確認し、かつ第２入力部から所定の情報を入力することできるので、集合写真のような撮像を行ない、撮像部で生成された画像データを保存することができる。
【００３６】
また本発明は、音声信号を入力する音声入力部と、
音声信号を出力する音声出力部とを含み、
音声入力部から入力した音声信号は、前記通信部を介して送信され、通信部を介して受信された音声信号は、音声出力部から出力されることを特徴とする。
【００３７】
本発明に従えば、音声入力部から入力した音声信号を通信部から送信し、通信部を介して受信した音声信号を音声出力部から出力するので、操作者は通話を行なうことができる。たとえば撮像部で生成された画像データを通信部から送信し、所定の情報として画像データを通信部を介して受信することによって、双方向に画像データの送受信と通話とを行なうことができ、いわゆるテレビジョン電話として用いることができる。
【００３８】
【発明の実施の形態】
図１は、本発明の実施の一形態の通信装置３１の一表面側から見た斜視図であり、図２は通信装置３１の他表面側から見た斜視図である。通信装置３１は、所定の表示内容を表示する第１表示部３２、少なくとも第１表示部３２に表示される表示内容に関連する所定の表示内容を表示する第２表示部３３、および入射光を電気的な信号に変換して画像データを生成する撮像部３４が設けられる第１ケーシング３６と、操作者による操作によって所定の情報を入力する入力部３７が設けられる第２ケーシング３８とを含む。本実施の形態の通信装置３１は、前記第１ケーシング３６の一端部３９と第２ケーシング３８の一端部４０とは、ヒンジ部４１によって相互に各変位可能に接続される折り畳み形の携帯型電話機である。なお図１および図２では、ヒンジ部４１を中心として、第１ケーシング３６および第２ケーシング３８を所定の角度に展開した状態の通信装置３１を示す。前述の表示内容とは、画像データおよび文字データなどを第１および第２表示部３２，３３に表示させたときに、画面上に表示される画像および文字などを示す。
【００３９】
前記第１ケーシング３６および第２ケーシング３８は、ヒンジ部４１を中心として、第１ケーシング３６の一表面３６Ａと第２ケーシング３８の一表面３８Ａとが相互に臨む位置から、第１ケーシング３６の一表面３６Ａと第２ケーシング３８の一表面３８Ａとがなす角度が略１８０°となる位置まで各変位自在に設けられる。通信装置３１の一表面は、第１ケーシング３６の一表面３６Ａと、第２ケーシング３８の一表面３８Ａとから成り、通信装置３１の他表面は、第１ケーシング３６の他表面３６Ｂと、第２ケーシング３８の他表面３８Ｂとから成る。第１ケーシング３６の他表面３６Ｂは、前述の一表面３６Ａとは反対側の面であり、第２ケーシング３８の他表面３８Ｂは、前述の一表面３８Ａとは反対側の面である。つまり第１ケーシング３６の他表面３６Ｂおよび第２ケーシング３８の他表面３６Ｂは、ヒンジ部４１を中心に折り畳んだ状態で、それぞれのケーシングの外方に臨む。
【００４０】
上述の通信装置３１では、第１ケーシング３６および第２ケーシング３８を展開した状態で、第１ケーシング３６の遊端部４２を通信装置３１の上部とし、第２ケーシング３８の遊端部４３を通信装置３１の下部とする。
【００４１】
第１表示部３２は、通信装置３１の一表面側に臨んで所定の表示内容を表示し、第１ケーシング３６の一表面３６Ａ側に臨んで所定の表示内容を表示する。第２表示部３３は、第１表示部３２とは反対側の他表面側に臨んで所定の表示内容を表示し、第１ケーシング３６の他表面３６Ｂ側に臨んで所定の表示内容を表示する。上述の第１表示部３２および第２表示部３３は、カラー表示可能な反射形液晶表示素子によって実現される。本発明の実施の他の形態では、第１表示部３２および第２表示部３３は、透過形液晶表示素子、半透過形液晶表示素子およびエレクトロルミネッセンス（Ｅｌｅｃｔｒｏ　Ｌｕｍｉｎｅｓｃｅｎｃｅ；略称ＥＬ）素子のうちいずれか１つによって実現されてもよい。第１表示部３２および第２表示部３３は、予め定める表示面をそれぞれ有し、第２表示部３３は、第１表示部３２よりも表示面が小さく構成される。本実施の形態の通信装置３１では、第２表示部３３の表示面の大きさは、第１表示部３２の表示面の略１／４程度としている。
【００４２】
第１表示部３２は、通信装置３１の一表面側から見て、第１ケーシング３６の中央部に配置され、左右方向端部の近傍およびヒンジ部４１の近傍まで表示面を有する。第２表示部３３は、通信装置３１の他表面側から見て第１ケーシング３６の中央部の左方寄りに配置される。
【００４３】
撮像部３４は、第１表示部３２の表示方向と同一側に臨んで撮像方向が設定され、第１ケーシング３６の一表面３６Ａ側に受光部３４Ａが臨んで設けられる。撮像部３４は、前述の第１表示部３２の上方の第１ケーシング３６の遊端部４２に配置され、通信装置３１の一方面側から見て右方に配置される。
【００４４】
撮像部３４は、撮像レンズと、荷電結合素子（Ｃｈａｒｇｅ　Ｃｏｕｐｌｅｄ　Ｄｅｖｉｃｅ；略称ＣＣＤ）イメージセンサおよび相補型モス（Ｃｏｍｐｌｅｍｅｎｔａｒｙ　Ｍｅｔａｌ−ＯｘｉｄｅＳｅｍｉｃｏｎｄｕｃｔｏｒ；略称ＣＭＯＳ）などの撮像素子と、カラーフィルタとを含む。撮像部３４は、被写体で反射されて撮像レンズに入射した入射光を赤（Ｒｅｄ；略称Ｒ）、青（Ｂｌｕｅ；略称Ｂ）、緑（Ｇｒｅｅｎ；略称Ｇ）の３色のカラーフィルタを透過させて赤，緑，青の３色光ごとに、それぞれ電気信号に変換して画像データを生成する。
【００４５】
入力部３７は、通信装置３１の一表面側から操作者による操作によって所定の情報を入力するように、第２ケーシング３８の一表面側に臨んで設けられる。入力部７は、数字データ、文字データ、および通信装置３１への指示などを入力する複数の入力キーによって実現される。通信装置３１への指示を行なう入力キーは、たとえば、画像データおよび文字データを上述した第１表示部３２、第２表示部３３、または第１および第２表示部３２，３３のいずれに表示させるのかを指示する表示部選択キー、また前記表示部選択キーで指示された表示部に、撮像部３４で撮像された画像データ、入力部３７から入力した情報、および後述する通信部４６で受信した所定の情報の１つまたはその組み合わせを表示させるのかを制御部５６に指示する表示モード選択キー、および撮像部３４で生成された画像データを後述する第２記憶部５５に保存させる画像保存キーなどが設けられる。
【００４６】
第１ケーシング３６の遊端部４２の中央部には、音声信号を出力する音声出力部４４が設けられる。音声出力部４４は、スピーカによって実現され、通信装置３１の一表面側に指向性を有する。第２ケーシング３８の遊端部４３の中央部には、音声信号を入力する音声入力部４５が設けられる。音声入力部４５は、マイクロフォンによって実現され、通信装置３１の一表面側に指向性を有する。本発明で音声とは、たとえば音楽などの人の声以外の音も含む。
【００４７】
また第１ケーシング３６には、後述する通信部４６の一部を構成するアンテナ４７が設けられる。アンテナ４７は、伸縮自在なロッドアンテナによって実現される。アンテナ４７が縮んでいる状態では、その大部分が第１ケーシング３６内部に収容され、先端部が上部から第１ケーシング３６の外部に突出している。またアンテナ４７が伸びた状態では、その大部分が第１ケーシング３６の外部に突出する。アンテナ４７は、通信装置３１の一表面側から見て第１ケーシング３６の左方に配置される。
【００４８】
図３は、通信装置３１の電気的な構成を示すブロック図である。通信装置３１は、上述した各部の他に、第１および第２ケーシング３６，３８のうち少なくともいずれか一方の内部に、増幅部５１、アナログ／デジタル（Ａｎａｌｏｇ／Ｄｉｇｉｔａｌ；略称Ａ／Ｄ）変換部５２、信号処理部５３、第１記憶部５４、第２記憶部５５、制御部５６、第１表示ドライバ部５７、第２表示ドライバ部５８、無線部５９および通信制御部６０を含む。
【００４９】
増幅部５１は、撮像部３４が生成した赤、緑、青に対応した電気信号である画像データを増幅する。前記電気信号は、アナログ信号である。増幅部５１で増幅された画像データは、Ａ／Ｄ変換部５２に出力される。Ａ／Ｄ変換部５２は、増幅部５１で増幅された赤，緑，青に対応した電気信号である画像データをデジタル信号の画像データに変換する。Ａ／Ｄ変換部５２でデジタル信号に変換された画像データは、信号処理部５３に出力される。
【００５０】
信号処理部５３は、Ａ／Ｄ変換部５２から出力された画像データに対して、画素の補間処理などの信号処理を行なう。信号処理部５３は、後述する制御部５４から出力される制御信号に基づいて、信号処理を施した画像データを第１記憶部５５に出力する。
【００５１】
第１記憶部５４は、スタティックランダムアクセスメモリ（Ｓｔａｔｉｃ　ＲａｎｄｏｍＡｃｃｅｓｓ　Ｍｅｍｏｒｙ；略称ＳＲＡＭ）などの揮発性メモリによって実現され、信号処理部５３から連続的に出力される画像データを一時的に記憶する。第１記憶部５４は、複数画面分の画像データを記憶している。第１記憶部５４に記憶される画像データのうち、時間的に古い画像データは、後述する制御部５６から出力される制御信号に基づいて、消去される。画像データの消去は、その画像データを無効とするか、または時間的に新しい画像データが上書きされることによって行なわれる。
【００５２】
第２記憶部５５は、フラッシュメモリなどの不揮発性メモリによって実現され、入力部３７から入力された所定の情報、たとえば画像保存キーによって撮像部３４で生成された画像データを保存する命令が入力されると、これに応答して制御部５６が出力する制御信号に基づいて、第１記憶部５４に記憶された画像データのうち所定の画像データを保存する。また第２記憶部５５には、後述する制御部５６が通信装置３１の各部を制御するための制御プログラムが保存される。また第２記憶部５５には、後述する通信部４６を介して受信した所定の情報が記憶される。
【００５３】
制御部５６は、中央演算処理装置（Ｃｅｎｔｒａｌ　Ｐｒｏｃｅｓｓｉｎｇ　Ｕｎｉｔ；略称ＣＰＵ）によって実現される。制御部５６は、第２記憶部５５に保存される制御プログラムにしたがって、通信装置３１を構成する各部の制御を行なう。
【００５４】
制御部５６は、操作者の操作によって入力部４７から所定の情報、たとえば表示部選択キーによって入力される画像データおよび文字データを上述した第１表示部３２、第２表示部３３、または第１および第２表示部３２，３３のいずれに表示させるのかを指示、また表示モード選択キーによって入力される撮像部３４で撮像された画像データ、入力部３７から入力した情報、および後述する通信部４６で受信した所定の情報の１つまたはその組み合わせを表示させるのかの指示が入力されると、この所定の情報に応答して、通信装置３１の各部を制御する。制御部５６は、前記所定の情報に応答して、１および第２表示ドライバ部５７，５８に制御信号を出力するとともに、第１記憶部５４に一時的に記憶される画像データ、第２記憶部５５に保存された画像データ、入力部３７から入力された文字データ、後述する通信部４６で受信する画像データ、文字データなどの所定の情報を、第１および第２表示ドライバ部５７，５８のうち少なくともいずれか一方、つまり第１表示ドライバ５７か、第２表示ドライバ５８か、第１および第２表示ドライバ５７，５８かに出力する。
【００５５】
第１および第２ドライバ部５７，５８は、第１記憶部５４に一時的に記憶され、または第２記憶部５５に保存され、第１および第２表示部３２，３３に表示する画像データおよび文字データの少なくともいずれか一方のデータに基づいて、第１および第２表示部３２，３３の各画素電極に対して駆動電圧を印加する。これによって、第１および第２表示部３２，３３のうち少なくともいずれか一方、つまり第１表示部３２か、第２表示部３３か、第１および第２表示部３２，３３かに所定の表示内容が表示される。
【００５６】
上述した制御部５６は、入力部３７からの入力される所定の情報、たとえば表示画面を分割して表示させる指示に応じて、第１表示部３２に表示される画面を２つに分割することができる。たとえば、２つに分割した画面のうちの一方に通信部４６を介して受信した所定の情報である画像データおよび文字データのうち少なくともいずれか一方を表示させ、他方に撮像部３４で操作者自身を撮像し、生成された画像データを表示させることによって、通信部４６から送信する画像データと受信した画像データとの両者を見ることができる。
【００５７】
これによって、たとえば双方向での画像データを送受信する通信において、画面を分割して送信側と受信側を２画面表示することができる。第１表示部３２は、第２表示部３３よりも表示面積が大きいので、分割して表示させたときには、表示された画像が見やすくなる。
【００５８】
通信部４６は、前述したアンテナ４７の他に、無線部５９および無線制御部６０を含む。アンテナ４７は、無線基地局との間で無線通信を行なうときに、画像データ、音声データおよび文字データなどの所定の情報を含む電波を送受信する。無線部５９は、無線基地局から送信され、アンテナ４７を介して受信した所定の情報を復調し、通信制御部６０から出力される音声データ、文字データおよび画像データなどを変調して増幅し、アンテナ４７を介して基地局に送信する。
【００５９】
通信制御部６０は、無線部５９が復調した文字データ、画像データなどの所定の情報を、所定の通信プロトコルに基づいて制御部５６に出力し、無線部５９が復調した音声データをスピーカ４４に出力する。通信部４６を介して受信した画像データおよび文字データは、上述した第２記憶部５５に保存される。通信部４６で受信した所定の情報は、操作者が入力部３７からの所定の情報を入力することによって第１および第２表示部３２，３３の少なくともいずれか一方に表示させてもよく、受信すると自動的に制御部５６が第１および第２表示部３２，３３の少なくともいずれか一方に表示させてもよい。
【００６０】
上述した通信装置３１では、操作者が操作者自身を被写体として撮像するために、撮像部３４の撮像方向を操作者自身に向けた場合、第１表示部３２の表示方向は、操作者に向う方向となり、入力部３７は操作者に臨むので、操作者は、操作者自身を被写体として撮像部３４で撮像しながら、第１表示部３２に表示される所定の表示内容を見ることができるとともに、入力部３７から所定の情報を容易に入力することができる。
【００６１】
したがって、操作者自身を被写体として撮像部３４で撮像している場合であっても、入力部３７から所定の情報の入力を容易に行なうことができるので、操作者自身を被写体として撮像部で生成された画像データを、操作者が同時に入力部３７から入力した情報とともに通信部４６から送信することができ、通信部４６から受信した情報を第１表示部３２に容易に表示させることができる。
【００６２】
また操作者が操作者自身を被写体として撮像部３４で撮像している場合には、入力部３７から撮像部３４で生成した画像データを第１表示部３２に表示させるための情報を入力することによって、撮像部３７で生成された画像データを少なくとも第１表示部３２に表示させることができ、撮像部３４の撮像方向を操作者から離反する方向に向けて、操作者以外の他の被写体を撮像しているときには、入力部３７から撮像部３４で生成した画像データを第２表示部３３に表示させるための情報を入力することによって、撮像部３４で生成された画像データを少なくとも第２表示部３３に表示させることができる。
【００６３】
したがって、操作者は、操作者自身を撮像する場合および撮像部３４の撮像方向を操作者以外に向けて、操作者以外の他の被写体を撮像する場合のいずれの場合であっても、撮像部３４で生成された画像データを操作者側の臨んでいる表示部に表示させて、どのような表示内容として表示されるのかといった撮像の具合を容易に確認することができる。
【００６４】
また、撮像部３４で生成された画像データを第１および第２表示部３２，３３の少なくともいずれか一方に表示させることによって、撮像の具合を確認することができるので、設計上の制約を少なくすることができ、設計上の自由度が向上し、装置を小形化することができる。
【００６５】
また通信装置３１では、操作者による操作によって所定の情報、たとえばモード選択キーによって第１表示部３２に表示を行なわせる指令が入力部３７から入力されるときには、第１表示部３２に所定の表示内容が表示させ、第１ケーシング３６および第２ケーシング３８が、ヒンジ部４１を中心として折り畳まれているときには、第２表示部３３に所定の表示内容が表示させることによって、通信装置３１が開かれた状態であっても、折り畳まれた状態であっても、操作者が必要とする情報を常に提供することができる。
【００６６】
さらに通信装置３１では、撮像部３４で生成された画像データを通信部４６から送信しながら、音声入力部４５から入力した音声信号を通信部４６から送信し、通信部４６を介して受信した音声信号を音声出力部４４から出力させ、所定の情報として画像データを、通信部４６を介して受信することによって、双方向に画像データの送受信と通話とを行なうことができ、いわゆるテレビジョン電話として使用することができる。
【００６７】
図４は、被写体６１を示す図であり、図５は被写体６１を撮像し、撮像部３４で生成された画像データを第２表示部３３に表示させたときの表示画面を示す図であり、図６および図７は被写体６１を撮像し、撮像部３４で生成された画像データを第１表示部３２に表示させたときの表示画面を示す図である。ヒンジ部４１を中心として、第１ケーシング３６および第２ケーシング３８を所定の角度に展開した状態で、通信装置３１の上部を上にし、下部を下とした場合、つまり第１ケーシング３６の遊端部４２を上にし、一端部３９を下とした場合を正立状態とし、図５および図６では正立状態での表示画面を示す。
【００６８】
正立状態で撮像部３４によって図４に示す被写体６１を撮像し、撮像部３４で生成された画像データをそのまま第２表示部３３に表示させた場合、第２表示部３３には図５に示すような被写体画像６２および背景画像６３を含む非反転画像６４が表示される。非反画像６４は、被写体６１を見たとおりに表す。第２表示部３３には、必ず操作者が直接見た被写体６１と見た目に同じ被写体像６３が表示される。
【００６９】
一方、正立状態で撮像部３４によって図４に示す被写体６１を撮像し、撮像部３４で生成された画像データをそのまま第１表示部３２に表示させた場合、第１表示部３２には図６に示すような被写体画像６２および背景画像６３を含む非反転画像６４が表示される。非反転画像６４は、被写体６１を見たとおりに表す。通信装置３１の一表面側から第１表示部３２を見て、第１表示部３２に表示される非反転画像６４の上下左右は、第１表示部３２の上下左右と一致する。以下、前記正立状態での第１表示部３２の上下左右、および第１表示部３２に表示される非反転画像６４の上下左右を基準として説明する。つまり図６に示すように、正立状態で第１表示部３２に表示される非反転画像６４の上下左右を、第１表示部３２に表示される画像の上下左右とし、正立状態における第１表示部３２の上下左右を、第１表示部３２の上下左右とする。
【００７０】
撮像部３４で生成される画像データを確認するために、操作者が入力部３７から所定の情報、たとえば表示部選択キーによって第１表示部３２に表示させる指令および画像モード選択キーによって撮像部３４で生成した画像データを表示させる指令を入力して、制御部５６に撮像部３４で生成された画像データを第１表示部３２に即時に表示させる場合、つまり画像データをリアルタイムで第１表示部３２に表示させる場合には、制御部５６は、撮像部３４で生成された画像データを、左右を反転させて表示させる。つまり制御部５６は、図４に示す被写体６１を撮像し、撮像部３４で生成された画像データを第１表示部３２に即時に表示させる場合には、第１表示部３２には図７に示すような被写体画像６２および背景画像６３を含む左右反転画像６５が表示される。左右反転画像６５は、非反転画像６４に対して、第１表示部３２の左右方向の中心で面対称に反転させた画像である。したがって左右反転画像６５では、画像の右が第１表示部３２の左となり、画像の左が第１表示部３２の右となる。
【００７１】
制御部５６は、第１記憶部５４から画像データを出力させるときに、第２記憶部５５に保存される制御プログラムに基づいて、上述したように第１表示部３２に表示される画像データを左右が反転するように、画像データの配列を変更して出力させる。これによって、第１表示部３２には、図７に示すような左右反転画像６５が表示されるので、第１表示部３２に表示されている被写体画像６２は、実際の見た目とは左右が逆となり、いわゆる被写体６１の鏡像と同様に表示される。
【００７２】
これによって、撮像部３４の撮像方向を第１表示部３２に向って右方向に移動させると、画面上の被写体画像６２は第１表示部３２の左方向に移動し、撮像部３４の撮像方向を第１表示部３２に向って左方向に移動させると、画面上の被写体画像６２は第１表示部３２に右方向に移動する。撮像部３４で生成された画像データを即時に第１表示部３２に表示させる場合は、撮像部３４の撮像方向を操作者に向けて、操作者自身を被写体として撮像し、操作者が撮像部３４で撮像した画像を確認する場合である。したがって、操作者自身を被写体として撮像する場合に、操作者は鏡を見るような感覚で自分自身を撮像することができるので、撮像範囲を調整しやすくなる。
【００７３】
一方、撮像部３４で撮像して、第２記憶部５５に記憶された画像データを第１表示部３２に表示させる場合には、制御部５６は、第１表示部３２に図５に示すような被写体６１を見たとおりに表す非反転画像６４を表示させる。通信装置３１の一表面側から第１表示部３２を見て、第１表示部３２に表示される非反転画像６４の上下左右は、第１表示部３２の上下左右と一致する。このように通信装置３１では、第１表示部３２に操作者が直接見た被写体と見た目に同じ被写体像を表示させることができる。
【００７４】
図８は、撮像部３４で生成された画像データを第２表示部３３に表示させたときの表示画面を示す図であり、図９〜図１１は、撮像部３４で生成された画像データを第１表示部３２に表示させたときの表示画面を示す図である。通信装置３１の一表面側から見て正立状態から左方に９０°回転し、通信装置３１の上下方向を水平にした状態を左方横置状態とし、図８〜図１１では、左方横置状態での表示画面を示す。
【００７５】
撮像部３４によって図４に示す被写体６１を撮像し、撮像部３４で生成された画像データをそのまま第２表示部３３に表示させた場合、第２表示部３３には図８（１）に示すような被写体画像６２および背景画像６３を含む非反転画像６４が表示される。非反転画像６４は、被写体６１を見たとおりに表す。第２表示部３３には、必ず操作者が直接見た被写体６１と見た目に同じ被写体画像６２が表示される。
【００７６】
一方、撮像部３４によって図４に示す被写体６１を撮像し、撮像部３４で生成された画像データをそのまま第１表示部３２に表示させた場合、第１表示部３２には図９（２）に示すような被写体画像６２および背景画像６３を含む非反転画像６６が表示される。
【００７７】
第２表示部３３に図９（２）に示すような非反転画像６６が表示される理由について説明する。図８（２）は、図８（１）の状態の通信装置３１を９０°回転させて正立状態で示す図であり、図９（１）は、このときに第１表示部３２に表示される画像データを示す図である。第１表示部３２に表示される画像の上下方向と、第２表示部３３に表示される画像の上下方向とは、第１ケーシング３６の上下方向と一致させるので、図８（１）に示すように第２表示部３３に表示される画像データは、第１表示部３２では、図９（１）に示すように表示される。つまり、第１表示部３２に表示される画像の上下は、第１表示部３２の上下と一致し、第１表示部３２に表示される画像の左は、第１表示部３２の左と一致し、第１表示部３２に表示される画像の右は、第１表示部３２の右と一致する。したがって、図９（１）に示す通信装置３１を左方に９０°回転させると図９（２）に示す状態となる。
【００７８】
上述した通信装置３１を左方横置状態とし、撮像部３４で生成される画像データを確認するために、操作者が入力部３７から所定の情報、たとえば表示部選択キーによって第１表示部３２に表示させる指令および画像モード選択キーによって撮像部３４で生成した画像データを表示させる指令を入力して、制御部５６に撮像部３４で生成された画像データを第１表示部３２に即座に表示させる場合、つまり画像データをリアルタイムで第１表示部３２に表示させる場合には、上述したように制御部５６は第１表示部３２にとっての画像の左右、この場合被写体６１にとっての上下を反転させて第１表示部３２に表示させるので、第１表示部３２には、図１０に示すような左右反転画像６７が表示される。左右反転画像６７は、図９（２）に示される非反転画像６６に対して、第１表示部３２、つまり通信装置３１にとっての上下方向の中心で面対称に反転させた画像である。したがって第１表示部３２には図１０に示すような左右反転画像６７が表示されるので、第１表示部３２に表示される画像と被写体６１の関係は上下が同じで左右が逆となり、いわゆる被写体６１の鏡像と同様に表示される。
これによって操作者は鏡を見るような感覚で自分自身を撮像することができるので、撮像範囲を調整しやすくなる。
【００７９】
また上述した通信装置３１を左方横置状態として、入力部３７から所定の入力によって、撮像部３４で生成され第１記憶部５４に格納された画像データを第２記憶部５５に保存し、保存した画像データを確認するため、第１表示部３２に表示する場合、制御部５６は図９（２）に示すように第２記憶部５５に保存された画像データの上下左右を反転させて、図１１に示すように第２記憶部５５に保存された画像データの上下左右を反転させた上下左右反転画像６８を画面に表示させる。上下左右反転画像６８の上下は、第１表示部３２の上下と反対となり、上下左右反転画像６８の左右は、第１表示部３２の左右と反対となる。
【００８０】
これによって、第１表示部３２を見て撮像した画像を確認したときに、第１表示部３２に操作者が直接見た被写体６１と見た目に同じ被写体画像６２を表示させることができるので、撮影した画像の確認が容易になる。
【００８１】
ここでは、左方横置状態についてのみ示しているが、通信装置３１の一表面側から見て正立状態から右方に９０°回転し、通信装置３１の上下方向を水平にした状態を右方横置状態として撮像部３４で撮像する場合にも、同様に適用することができる。
【００８２】
上述した画像の左右および上下左右の反転は、操作者が入力部３７から所定の情報を入力することによって行なわれるが、本発明の実施のさらに他の形態では、通信装置３１の傾きを検出するセンサを設け、前記センサが検出する信号に基づいて、制御部５６が、通信装置３１の正立状態と左方横置状態とを判断して、第１表示部３２に左右反転画像６５および上下左右反転画像６７のいずれかを表示させる構成としてもよい。
【００８３】
図１２は、本発明の実施のさらに他の形態の通信装置７１の一表面側から見た斜視図であり、図１３は通信装置７１の他表面側から見た斜視図である。図１４は、通信装置７１の電気的な構成を示すブロック図である。
【００８４】
通信装置７１は、第１表示部３２、第２表示部３３、撮像部３４、第１ケーシング３６、入力部３７、第２ケーシング３８、ヒンジ部４１、アンテナ４７、スピーカ４４、マイクロフォン４５、増幅部５１、Ａ／Ｄ変換部５２、信号処理部５３、第１記憶部５４、第２記憶部５５、制御部５６、第１表示ドライバ部５７、第２表示ドライバ部５８、無線部５９、無線制御部６０、カバー部材７２および開閉検出部７３とを含む。
【００８５】
通信装置７１は、上述した図１〜図３に示される通信装置３１の各構成に加えて、撮像部３４の受光部３４Ａを開閉自在に覆うカバー部材７２と、カバー部材７２の開閉状態を検出する開閉検出部７３とを含む構成であるので、図６および図７に示す通信装置７１では、上述した図１および図２に示す通信装置３１と同様な構成には同一の符号を付して、その説明を省略する。なお図１２および図１３では、ヒンジ部４１を中心として、第１ケーシング３６および第２ケーシング３８を所定の角度に展開した状態の通信装置７１を示す。
【００８６】
カバー部材７２は、遮光性材料から成り、第１ケーシング３６の一方面３６Ａに設けられる。カバー部材７２は、撮像部３４の受光部３５を覆う遮光位置と、前記受光部３５を外部に露出させる退避位置とにわたって、ヒンジ部４１の軸線に平行な方向、つまり図４の矢符Ａ方向に移動可能に設けられる。カバー部材７２によって撮像部３４の受光部３５を覆うことによって、撮像部３４の撮像レンズなどに手指および物体などが不用意に接触して損傷することを防止することができる。
【００８７】
開閉検出部７３は、カバー部材７２の開閉状態を検出して、その検出信号を制御部５６に出力する。制御部５６は、開閉検出部７３が出力した検出信号に基づいて、カバー部材７２が開放状態であれば、撮像部３４に撮像させ、カバー部材７２が閉鎖状態であれば、撮像部３４による撮像を停止させる。
【００８８】
図１５は、通信装置７１の制御部５６の制御動作を示すフローチャートである。図９のステップａ１からステップａ２に移り、開閉検出部７３の検出信号に基づいて、カバー部材７２が開放状態であるか否かを判断する。ステップａ２でカバー部材７２が開放状態であると判断されると、ステップａ３に移り、撮像部３４に制御信号を出力して、撮像を行なわせる。次にステップａ４に移る、開閉検出部７３の検出信号に基づいて、カバー部材７２が閉鎖状態であるか否かを判断する。ステップａ４でカバー部材７２が閉鎖状態であると判断されると、ステップａ５に移り、撮像部３４に制御信号を出力して、撮像を停止させて、ステップａ６に移る。ステップａ６では、動作処理を終了する。一方ステップａ４で、カバー部材７２が閉鎖状態ではないと判断されると、ステップａ３に移り、撮像部３４による撮像を引き続き行なう。
【００８９】
上述したように通信装置７１では、カバー部材７２を開閉動作によって撮像部３４による撮像の開始および停止を行なわせることができるので、操作者は、撮像部３４によって撮像するために入力部３７から所定の情報、たとえば撮像部３４による撮像を行なわせる指令を入力するなどの複雑な動作を行なう必要がなく、簡単な操作で撮像を行なうことができる。したがって、たとえば音声通話を行ないながらであっても、カバー部材７２を操作することによって、簡単に撮像部３４で撮像を行なわせることができ、画像データを通信部４６を介して容易に送信することができる。
【００９０】
図１６は、本発明の実施のさらに他の形態の通信装置８１の一表面側から見た斜視図であり、図１７は通信装置８１の他表面側から見た斜視図である。図１８は、通信装置８１の電気的な構成を示すブロック図である。通信装置８１は、第１表示部３２、第２表示部３３、撮像部３４、第１ケーシング３６、第１入力部３７Ａ、第２ケーシング３８、ヒンジ部４１、アンテナ４７、スピーカ４４、マイクロフォン４５、増幅部５１、Ａ／Ｄ変換部５２、信号処理部５３、第１記憶部５４、第２記憶部５５、制御部５６、第１表示ドライバ部５７、第２表示ドライバ部５８、無線部５９、通信制御部６０、および第２入力部３７Ｂとを含む。
【００９１】
通信装置７１は、上述した図１〜図３に示される通信装置３１の各構成に加えて、操作者による操作によって所定の情報を他表面側から入力する第２入力部３７Ｂを備える構成であるので、図１６および図１７に示す通信装置８１では、上述した図１および図２に示す通信装置３１と同様な構成には同一の符号を付して、その説明を省略する。前記第１入力部３７Ａは、上述した通信装置３１の入力部３７と同一の構成である。なお図１６および図１７では、ヒンジ部４１を中心として、第１ケーシング３６および第２ケーシング３８を所定の角度に展開した状態の通信装置８１を示す。
【００９２】
第２入力部３７Ｂは、第１ケーシング３６の他表面側に臨んで設けられる。また第２入力部３７Ｂは、第２表示部３３とヒンジ部１１との間に設けられる。本発明の実施の他の形態では、第２入力部３７Ｂは、第２ケーシング３８の他表面側に臨んで設けられてもよい。第２入力部３７Ｂは、１つまたは複数の入力キーによってから構成される。入力キーを複数とした場合には、たとえば、撮像部３４で生成された画像データを第２記憶部５５に保存させる指令を入力するシャッタキー、および撮像部３４で生成された画像データを第２表示部３３に表示させる指令を入力する表示部選択キー、撮像部３４が撮像を行なう範囲をズームアップまたはズームダウンするズームの設定を行なうズームキー、接写、ストロボ発光、白黒撮影、セピア撮影などを撮影モード選択する選択キーなどが設けられる。また上述した各キーによる指令を１つの入力キーによって入力することができる構成賭してもよい。
【００９３】
図１９は、通信装置８１の制御部５６の制御動作を示すフローチャートである。図１９のステップｂ１からステップｂ２に移り、第１入力部３７Ａから所定の情報、ここでは表示部選択キーによって第１表示部３２に表示を行なわせる指令が入力されたか否かが判断される。ステップｂ２で、第１入力部３７Ａから所定の情報が入力されるとステップｂ３に移り、第１入力部３７Ａから所定の入力されなければ、ステップｂ９に移る。
【００９４】
ステップｂ３では、第１表示部３２に撮像部３４で生成された画像データを表示させているか否かが判断される。ステップｂ３で、第１表示部３２に画像データを表示しているとステップｂ４に移り、第１表示部３２に画像データを表示していなければ、ステップｂ５に移る。
【００９５】
ステップｂ４では、撮像部３４で生成された画像データを一時的に記憶する第１記憶部５４から第１表示ドライバ部５７に画像データを出力させ、第１表示ドライバ５７に制御信号を出力して、第１表示部３２に撮像部３４で生成された画像データを即時に表示させ、ステップｂ５に移る。
【００９６】
ステップｂ５では、第２入力部３７Ｂから所定の情報、第２表示部３３に表示を行なわせる指令が入力されたか否かが判断される。ステップｂ５で、第２入力部３７Ｂから所定の情報が入力されるとステップｂ１１に移り、第２入力部３７ｂから所定の情報が入力されないとステップｂ６に移る。
【００９７】
ステップｂ６では、第１入力部３７Ａから所定の情報、ここでは撮像部３４で生成した画像データを保存する指令が入力されたか否かが判断される。ステップｂ６で、第１入力部３７Ａから所定の情報が入力されるとステップｂ７に移り、第１入力部３７Ａから所定の情報が入力されなければ、ステップｂ５に移る。
【００９８】
ステップｂ７では、第１表示部３２に表示されている画像データを第２記憶部５５に保存し、ステップｂ８に移る。ステップｂ８では、動作処理を終了する。
【００９９】
ステップｂ９では、第２入力部３７Ｂから所定の情報、ここでは第２表示部３３に画像データを表示させる指令が入力されたか否かが判断される。ステップｂ９で、第２入力部３７Ｂから所定の情報が入力されると、ステップｂ１０に移り、第２入力部３７Ｂから所定の情報が入力されなければ、ステップｂ８に移って、処理動作を終了する。
【０１００】
ステップｂ１０では、第２表示部３３に撮像部３４で生成された画像データを表示させているか否かが判断される。ステップｂ１０で、第２表示部３３に画像データを表示していなければ、ステップｂ１１に移り、第２表示部３３に画像データを表示しているとステップｂ１２に移る。
【０１０１】
ステップｂ１１では、撮像部３４で生成された画像データを一時的に記憶する第１記憶部５４から第２表示ドライバ部５８に画像データを出力させ、第１表示ドライバ５８に制御信号を出力して、第２表示部３３に撮像部３４で生成された画像データを即時に表示させ、ステップｂ１２に移る。
【０１０２】
ステップｂ１２では、上述したステップＳ２と同様に、第１入力部３７Ａから所定の情報が入力されたか否かが判断される。ステップｂ１２で、第１入力部３７Ａから所定の情報が入力されるとステップｂ４に移り、第１入力部３７Ａから所定の情報が入力されなければ、ステップｂ１３に移る。
【０１０３】
ステップｂ１３では、第２入力部３７Ｂから所定の情報、ここでは撮像部３４で生成された画像データを第２記憶部５５に保存する指令が入力されたか否かが判断される。ステップｂ１３で、第２入力部３７Ｂから所定の情報が入力されるとステップｂ１４に移り、第２入力部３７Ｂから所定の情報が入力されなければ、ステップｂ１２に移る。
【０１０４】
ステップｂ１４では、第２表示部３３に表示されている画像データを第２記憶部５５に保存して、ステップｂ８に進んで動作処理を終了する。
【０１０５】
上述の通信装置８１では、第１表示部３２で画像データを表示しているときに第２入力部３７Ｂから所定の情報、第２表示部３３に表示を行なわせる指令が入力された場合、制御部５６が前記所定の情報に応答して、画像データが表示される表示部を切換えて第２表示部３３に画像データを表示させる。第２表示部３３で画像データを表示しているときに第１入力部３７Ａから所定の情報、第１表示部３２に表示を行なわせる指令が入力された場合、制御部５６が前記所定の情報に応答して、画像データが表示される表示部を切換えて第１表示部３２に画像データを表示させる。
【０１０６】
上述した所定の情報は、第１，第２入力部３７Ａ，３７Ｂが有する各キーを選択することによって入力されるように設定しておくことによって、通信装置８１では、撮像部３４で生成された画像データを表示する表示部を切換えるために複雑な操作を行なう必要がなく、操作者は、撮像部３４の撮像方向を操作者自身に向けて操作者自身を被写体として撮像する場合と、撮像部３４の撮像方向を操作者から離反する方向に向けて操作者以外の他の被写体を撮像する場合とにおいて、撮像方向を変更したときに、撮像部３４で生成された画像データを操作者側に臨む第１または第２表示部３２，３３に迅速に表示させることができる。
【０１０７】
撮像部３４で生成された画像データを第２記憶部５５に保存する場合、撮像した画像を確認するため、撮像部３４で生成された画像を即時に第１および第２表示部３２，３３のうち少なくともいずれか一方に表示させる必要があるが、通信装置８１では、第１表示部３２で画像データを表示しているときに第１入力部３７Ａから所定の情報、ここでは撮像部３４で生成した画像データを保存する指令が入力された場合、あるいは第２表示部３３で画像データを表示しているときに第２入力部３７Ｂから所定の情報、ここでは撮像部３４で生成された画像データを保存するが入力された場合には、第１表示部３２または第２表示部３３に表示されている画像データを保存するので、操作者は画像データを表示させたいずれかの表示部を見ながら、画像データを第２記憶部５５に保存するための所定の情報を容易に入力することができる。したがって、保存される画像データを確認することができるとともに、不所望な画像データが第２記憶部５５に保存されることが防がれる。
【０１０８】
上述の図１９に示されるフローチャートでは、画像データを静止画像として保存する場合について述べているが、本発明の実施のさらに他の形態では、撮像部３４で生成された画像データを連続的な画像データとして、つまり動画として保存してもよく、この場合、上述の図１９のフローチャートにおいて、ステップｂ７で所定時間あるいは第１入力部３７Ａから所定の情報が入力されるまで、更新される画像データを連続して第２記憶部５５に保存させ、ステップｂ１４で所定時間あるいは第２入力部３７Ｂから所定の情報が入力されるまで、更新される画像データを連続して第２記憶部５５に保存させる制御を行なうことによって実現できる。
【０１０９】
図２０は、本発明の実施のさらに他の形態の通信装置９１の一表面側から見た斜視図であり、図２１は通信装置９１の他表面側から見た斜視図である。図２２は、通信装置９１の電気的な構成を示すブロック図である。通信装置９１は、第１表示部３２、第２表示部３３、撮像部３４、第１ケーシング３６、第１入力部３７、第２ケーシング３８、ヒンジ部４１、アンテナ４７、スピーカ４４、マイクロフォン４５、増幅部５１、Ａ／Ｄ変換部５２、信号処理部５３、第１記憶部５４、第２記憶部５５、制御部５６、第１表示ドライバ部５７、第２表示ドライバ部５８、無線部５９、通信制御部６０、第２入力部３７Ｂ、第３ケーシング９２、第１無線通信部９３、第２無線通信部９４、第１および第２コネクタ９５，９６、および処理部９７とを含む。
【０１１０】
通信装置９１は、上述した図１６〜図１８に示される通信装置８１の各構成に加えて、第３ケーシング９２、第１無線通信部９３、第２無線通信部９４、第１および第２コネクタ９５，９６、および処理部９７を含み、第２表示部３３および第２入力部３７Ｂを第１ケーシング３６および第２ケーシング３７とを含む装置本体９８に着脱自在に設ける構成であるので、図２０〜図２２に示される通信装置９１で、上述した図１６〜図１８に示される通信装置８１と同様な構成には同一の符号を付して、その説明を省略する。なお図２０および図２１では、ヒンジ部４１を中心として、第１ケーシング３６および第２ケーシング３８を所定の角度に展開した状態の通信装置９１を示す。
【０１１１】
通信装置９１は、上述した通信装置８１の第２表示部３３および第２入力部３７Ｂを第１ケーシング３６に着脱自在に設ける構成である。このため、第２表示部３３および第２入力部３７Ｂは、第１ケーシング３６に着脱可能な第３ケーシング９２に設けられる。第３ケーシング９３は、第１ケーシング３６よりも小さく構成され、第１ケーシング３６の他表面に設けられる凹部９９に嵌合して設けられる。
【０１１２】
第１ケーシング３６には、第１無線通信部９３および第１コネクタ９５が設けられる。第１無線通信部９３は、制御部５６からの制御信号によって、赤外線通信を行ない、第１記憶部５４に記憶される画像データ、第２記憶部５５に保存される画像データおよび文字データの少なくともいずれか一方、および通信部４６で受信した所定の情報の少なくともいずれか１つを送信するとともに、後述する第２無線通信部９４から送信される所定の情報を受信する。第１コネクタ９５は、第１ケーシング３６の前記凹部９９に設けられる。
【０１１３】
第３ケーシング９２には、第２表示部３３および第２入力部３７Ｂの他に、第２表示ドライバ部５８、第２無線通信部９４、第２コネクタ９６および処理部９７が設けられる。第２無線通信部９４は、処理部９７からの制御信号によって、赤外線通信を行ない、操作者の操作によって第２入力部３７Ｂから入力される文字データなどの情報を第１無線通信部９３に送信し、第１無線通信部９３から送信される第１記憶部５４に記憶される画像データ、第２記憶部５５に保存される画像データおよび文字データの少なくともいずれか一方、および通信部４６で受信した所定の情報の少なくともいずれか１つを受信する。
【０１１４】
本発明の他の実施の形態では、第１および第２無線通信部９３，９４は、微弱または省電力の電波による無線通信を行なってもよく、たとえばブルートゥース（Ｂｌｕｅｔｏｏｔｈ）など規格による無線通信を行なってもよい。
【０１１５】
第２コネクタ９６は、第３ケーシング９２を前記第１ケーシング３６の凹部９９に嵌入して装着したときに、第１コネクタ９５と相互に接続される。第３ケーシング９２を装置本体９８に装着したときには、第１および第２コネクタ９５，９６を介して、制御部５６と第２表示ドライバ部５８および第２入力部３７Ｂとが電気的に接続され、また第１記憶部５４と第２表示ドライバ部５８とが電気的に接続され、第１無線通信部９３および第２無線通信部９４による通信は行なわれない。
【０１１６】
処理部９７は、ＣＰＵによって実現され、第３ケーシング９２の各部の制御を行なう。
【０１１７】
また第３ケーシング９２は、充電可能な２次電池または大容量のコンデンサなどの電源（図示せず）を有し、第３ケーシング９２が装置本体９８に装着されたときに、前記第１および第２コネクタ９５，９６を介して装置本体９８から充電することによって、装置の各部に電力を供給することができる。
【０１１８】
本発明の実施のさらに他の形態の通信装置において、第３ケーシング９２を装置本体９８に装着した状態であっても、第１および第２無線通信部９３，９４を介して通信してもよい。常に無線通信によって通信を行なうことによって、コネクタ９５，９６を設ける必要が無いので、通信装置９１を小形化することができる。本発明の実施のさらに他の形態では、第３ケーシング９２に小形の１次電池などの独立した電源を設けてもよい。
【０１１９】
また、第１ケーシング３６および第３ケーシング９２の少なくともいずれか一方には、第１ケーシング３６の凹部９９に第３ケーシング９２が装着された状態で、この第３ケーシング９２が不所望に離脱することを防止するロック機構部を有する。ロック機構部は、たとえばスライドレバーと、このスライドレバーを動作させることによって移動する爪部とを有し、スライドレバーを第１ケーシング３６および第３ケーシング９２のうちいずれか一方に設け、スライドレバーを操作して爪部を第１または第３ケーシング３６，９２のうちいずれかに他方に係止／開放自在に係止することによって、第３ケーシング９２が不所望に離脱することを防止できる。
【０１２０】
通信装置９１では、第３ケーシング９２を装置本体９８から、第２表示部３３および第２入力部３７Ｂを離脱させることができるので、撮像部３４で撮像される画像データを第２表示部３３に表示させることによって、操作者は、装置本体９８から離れた場所にいても、第２表示部３３を見ながら撮像部３４の撮像の具合を確認し、かつ第２入力部３７Ｂから所定の情報を入力することできるので、集合写真のような撮像を行ない、また撮像部３４で生成された画像データを第２記憶部５５に保存することができる。
【０１２１】
上述の通信装置３１，７１，８１，９１では、折り畳み形の携帯電話装置について示しているが、本発明は折り畳み形の通信装置に限定されるこのではなく、上述した各部が１つのケーシングに設けられる通信装置にも適用することができる。この場合、上述した各通信装置３１，７１，８１，９１において、第１および第２ケーシング３６，３８を折り畳んだ状態から１８０°展開した状態で、第１ケーシング３６の一端部３９と第２ケーシング３８の一端部４０とを相互に連結させた構成と同様な構成とする。
【０１２２】
図２３は、本発明の実施のさらに他の形態の通信装置１０１の一表面側から見た斜視図であり、図２４は通信装置１０１の他表面側から見た斜視図である。図２５は、通信装置１０１の電気的な構成を示すブロック図である。通信装置１０１は、第１表示部３２、第２表示部３３、撮像部３４、入力部３７、スピーカ４４、マイクロフォン４５、増幅部５１、Ａ／Ｄ変換部５２、信号処理部５３、第１記憶部５４、第２記憶部５５、制御部５６、第１表示ドライバ部５７、第２表示ドライバ部５８、ケーシング１０２、および近距離ワイヤレス通信部１０３を含む。
【０１２３】
通信装置１０１は、図１〜図３に示される通信装置３１の通信部４６に代えて近距離ワイヤレス通信部１０２を設け、第１および第２ケーシング３６，３８およびヒンジ部４１をケーシング１０２に代えた構成であって、その他の構成は上述した通信装置３１と同様であるので同様な部分には同一の符号を付して、その説明を省略する。通信装置１０１では、スピーカ４４およびマイクロフォン４６は、制御部５６に接続され、制御部５６を介して音声データの送受信を行なう。
【０１２４】
通信装置１０１の各部は、略直方体状のケーシング１０２に設けられる。通信装置１０１は、上述した通信装置３１において、第１および第２ケーシング３６，３８を折り畳んだ状態から１８０°展開した状態で、第１ケーシング３６の一端部３９と第２ケーシング３８の一端部４０とを相互に連結させて、第１ケーシング３６と第２ケーシング３８とを１つのケーシングとした構成と同様である。
【０１２５】
第１表示部３２は、通信装置１０１の一表面側に臨んで所定の表示内容を表示し、ケーシング１０２の一表面１０１Ａ側に臨んで所定の表示内容を表示する。第２表示部３３は、第１表示部３２とは反対側の他表面側に臨んで所定の表示内容を表示し、ケーシング１０２の他表面１０２Ｂ側に臨んで所定の表示内容を表示する。
【０１２６】
第１表示部３２は、１０１の一表面側から見て、ケーシング１０２の中央部に配置され、左右方向端部の近傍まで表示面を有する。第２表示部３３は、通信装置１０１の他表面側から見てケーシング１０２の中央部に配置される。
【０１２７】
撮像部３４は、第１表示部３２の表示方向と同一側に臨んで撮像方向が設定され、ケーシング１０２の一表面１０２Ａ側に受光部３４Ａが臨んで設けられる。撮像部３４は、前述の第１表示部３２の上方のケーシング１０２の一端部１０４に配置され、通信装置３１の一方面側から見て右方に配置される。
【０１２８】
入力部３７は、通信装置３１の一表面側から操作者による操作によって所定の情報を入力するように、ケーシング１０２の一表面１０２Ａ側に臨んで設けられる。また入力部３７は、ケーシング１０２の他端部１０５に設けられる。
【０１２９】
通信装置１０１では、撮像部３４が設けられるケーシング１０２の一端部１０４を上部とし、入力部３７が設けられるケーシング１０２の他端部１０５を下部とする。
【０１３０】
ケーシング１０２の一端部１０４の中央部には、通信装置１０１の一表面側に指向性を有する音声出力部４４が設けられ、ケーシング１０２の他端部１０５の中央部には、通信装置１０１の一表面側に指向性を有する音声入力部４５が設けられる。
【０１３１】
通信装置１０１は、たとえば通信機能付きのパーソナルディジタルアシスタント（Ｐｅｒｓｏｎａｌ　Ｄｉｇｉｔａｌ　Ａｓｓｉｓｔａｎｔ；略称ＰＤＡ）などの通信機能付きの携帯型情報端末であり、近距離のワイヤレス通信を行なう近距離ワイヤレス通信部１０３を有する。近距離ワイヤレス通信部１０３は、赤外線通信を行なうことができる。赤外線通信を行なう場合は、たとえばアイ・アール・ディ・エイ（ＩｎｆｒａｒｅｄＤａｔａ　Ａｓｓｏｃｉａｔｉｏｎ略称；ＩｒＤＡ）で規定される赤外線通信の規格に基づいて通信を行なう。
【０１３２】
本発明の実施のさらに他の形態では、近距離ワイヤレス通信部１０３は、電波による無線通信を行なってもよい。無線通信は、たとえば米国電気電子技術者協会（略称ＩＥＥＥ）で規定されたＩＥＥＥ８０２．１１ｂなどの無線ＬＡＮの規格、およびブルートゥースで規定される規格のうちいずれか一方に基づいて通信を行なう。
【０１３３】
上述の通信装置１０１では、前記近距離ワイヤレス通信部１０３を介して、ローカルエリアネットワーク（Ｌｏｃａｌ　Ａｒｅａ　Ｎｅｔｗｏｒｋ；略称ＬＡＮ）に接続することによって、ＬＡＮを利用した携帯型のテレビ会議システムを実現することができる。
【０１３４】
本発明の実施のさらに他の形態では、上述した各実施形態の通信装置３１，７２，８１，９１，１０１において、撮像部３４を赤外線カメラによって構成してもよい。赤外線カメラを撮像部として用い、第１または第２表示部に前記赤外線カメラで撮像した画像データを表示させることによって、周囲に可視光がない状態であっても、被写体を撮像することができる。したがって、たとえば暗闇であっても操作者は、操作者の周囲を撮像して、生成された画像データを第１および第２表示部３２，３３のうち少なくともいずれか一方で表示させることによって、周囲の状況などを把握することができる。
【０１３５】
【発明の効果】
以上のように本発明によれば、操作者が操作者自身を被写体として撮像するために、撮像部の撮像方向を操作者自身に向けた場合、第１表示部の表示方向は、操作者に向う方向となり、入力部は操作者に臨むので、操作者は、操作者自身を被写体として撮像部で撮像しながら、第１表示部に表示される所定の表示内容を見ることができるとともに、入力部から所定の情報を容易に入力することができる。
【０１３６】
前記入力部から入力された所定の情報に応答して、制御部は、撮像部で生成された画像データ、入力部から入力された情報、通信部で受信した所定の情報のうち少なくともいずれか１つを第１および第２表示部の少なくともいずれか一方に表示させることができる。これによって第１および第２表示部の少なくともいずれか一方には、所定の表示内容が前記入力された所定の情報に応じて表示される。したがって、撮像部で生成された画像データ、入力部から入力された情報、通信部で受信した所定の情報のうち１つまたはその組み合わせを第１および第２表示部に選択的に表示させるので、複数の表示形態が実現され、表示の自由度が向上する。
【０１３７】
操作者自身を被写体として撮像部で撮像している場合には、撮像部と入力部とが同一側に臨んで配置され、入力部から所定の情報の入力を容易に行なうことができるので、通信装置を裏表反転することなしに、操作者自身を被写体として撮像部で生成された画像データを、操作者が同時に入力部から入力した情報とともに通信部から送信することができ、通信部から受信した情報を第１表示部に表示させて視認することができる。
【０１３８】
また操作者が操作者自身を被写体として撮像部で撮像している場合には、入力部から所定の情報を入力することによって、撮像部で生成された画像データを少なくとも第１表示部に表示させることができ、撮像部によって操作者が操作者以外の他の被写体を撮像しているときには、入力部から所定の情報を入力することによって、撮像部で生成された画像データを少なくとも第２表示部に表示させることができる。
【０１３９】
したがって、操作者は、操作者自身を撮像する場合および撮像部の撮像方向を操作者以外に向けて、操作者以外の他の被写体を撮像する場合のいずれの場合であっても、撮像部で生成された画像データを操作者側に臨んでいる表示部に表示させて、どのような表示内容として表示されるのかといった撮像の具合を容易に確認することができる。
【０１４０】
他の従来の技術の通信装置のように、撮像部を回動させる構成としなくても、操作者自身を被写体として撮像部で撮像しながら入力部から入力を行なうことができ、また撮像部で生成された画像データを第１および第２表示部の少なくともいずれか一方に表示させて、撮像の具合を確認することができるとともに、他の従来の技術の通信装置のように光学ファインダを設ける必要がないので、設計上の制約を少なくすることができ、設計上の自由度が向上し、装置を小形化することができる。
【０１４１】
また本発明によれば、撮像部によって撮像しない場合には、カバー部材を閉鎖状態にして撮像部の受光部を覆うことによって、たとえばレンズなどの撮像部を構成する光学的な部品を保護することができる。カバー部材を閉鎖状態から開放状態とすると、開閉検出部の検出結果に基づいて、撮像部による撮像が開始されるので、入力部から撮像部に撮像を行なわせるための情報を入力するといった、複雑な操作を行なう必要がなく、簡単な操作で撮像することができる。また、カバー部材を開放状態から閉鎖状態とすると、開閉検出部の検出結果に基づいて、撮像部による撮像が停止されるので、入力装置などを操作して撮像を停止させるような複雑な操作を行なう必要がなく、簡単な操作で撮像を停止させることができる。
【０１４２】
また本発明によれば、撮像部で生成した画像データを第１表示部に表示させる場合には、第１表示部が臨む一表面側から第１入力部に所定の情報を入力し、撮像部で生成した画像データを第２表示部に表示させる場合には、第２表示部が他表面側から第２入力部から所定の情報を入力することによって、画像データを表示させる表示部を容易に選択することができる。
【０１４３】
また本発明によれば、操作者は画像データを表示させたいずれかの表示部を見ながら、画像データを記憶部に保存するための所定の情報を容易に入力することができるので、保存される画像データを確認することができ、不所望な画像データが記憶部に保存されることが防がれる。
【０１４４】
また本発明によれば、撮像部で生成された画像データが即時に第１表示部に表示される場合には、画像データの上下および左右の少なくともいずれか一方を反転して表示されるので、撮像部の撮像方向を所定方向に移動させたときに、第１表示部に表示される被写体画像の画面上での移動方向を前記所定方向とは逆方向とすることができる。たとえば被写体を撮像して第１表示部に表示させた被写体像を鏡像と同様に表示させることができるので撮像しやすくなる。
【０１４５】
また本発明によれば、記憶部に保存された画像データを第１表示部および第２表示部の少なくともいずれか一方に表示させるときには、画像データを左右を反転しないでそのまま表示させるので、前記表示部に表示される被写体画像は、被写体を見たとおりに表示される。
【０１４６】
また本発明によれば、第２表示部および第２入力部の少なくともいずれか一方は、第１表示部および第１入力部が設けられる装置本体に着脱可能に設けられるので、たとえば第２表示部を装置本体から離脱させた状態で、撮像部で撮像される画像データを表示させることによって、操作者は、装置本体から離れた場所にいても、第２表示部に表示される画像データを見ることによって、撮像部が撮像する範囲を確認することができる。またたとえば第２入力部を装置本体から離脱させることによって、操作者は装置本体から離れた場所にいても、所定の情報を入力することができる。またたとえば第２表示部および第２入力部を装置本体から離脱させた状態で、撮像部で撮像される画像データを第２表示部に表示させることによって、操作者は、装置本体から離れた場所にいても、第２表示部を見ながら撮像部の撮像の具合を確認し、かつ第２入力部から所定の情報を入力することできるので、集合写真のような撮像を行ない、撮像部で生成された画像データを保存することができる。
【０１４７】
また本発明によれば、音声入力部から入力した音声信号を通信部から送信し、通信部を介して受信した音声信号を音声出力部から出力するので、操作者は通話を行なうことができる。たとえば撮像部で生成された画像データを通信部から送信し、所定の情報として画像データを通信部を介して受信することによって、双方向に画像データの送受信と通話とを行なうことができ、いわゆるテレビジョン電話として用いることができる。
【図面の簡単な説明】
【図１】本発明の実施の一形態の通信装置３１の一表面側から見た斜視図である。
【図２】通信装置３１の他表面側から見た斜視図である。
【図３】通信装置３１の電気的な構成を示すブロック図である。
【図４】被写体６１を示す図である。
【図５】被写体６１を撮像し、撮像部３４で生成された画像データを第２表示部３３に表示させたときの表示画面を示す図である。
【図６】被写体６１を撮像し、撮像部３４で生成された画像データを第１表示部３２に表示させたときの表示画面を示す図である。
【図７】被写体６１を撮像し、撮像部３４で生成された画像データを第１表示部３２に表示させたときの表示画面を示す図である。
【図８】被写体６１を撮像し、撮像部３４で生成された画像データを第２表示部３３に表示させたときの表示画面を示す図である。
【図９】被写体６１を撮像し、撮像部３４で生成された画像データを第１表示部３２に表示させたときの表示画面を示す図である。
【図１０】被写体６１を撮像し、撮像部３４で生成された画像データを第１表示部３２に表示させたときの表示画面を示す図である。
【図１１】被写体６１を撮像し、撮像部３４で生成された画像データを第１表示部３２に表示させたときの表示画面を示す図である。
【図１２】本発明の実施のさらに他の形態の通信装置７１の一表面側から見た斜視図である。
【図１３】通信装置７１の他表面側から見た斜視図である。
【図１４】通信装置７１の電気的な構成を示すブロック図である。
【図１５】通信装置７１の制御部５６の制御動作を示すフローチャートである。
【図１６】本発明の実施のさらに他の形態の通信装置８１の一表面側から見た斜視図である。
【図１７】通信装置８１の他表面側から見た斜視図である。
【図１８】通信装置８１の電気的な構成を示すブロック図である。
【図１９】通信装置８１の制御部５６の制御動作を示すフローチャートである。
【図２０】本発明の実施のさらに他の形態の通信装置９１の一表面側から見た斜視図である。
【図２１】通信装置９１の他表面側から見た斜視図である。
【図２２】通信装置９１の電気的な構成を示すブロック図である。
【図２３】本発明の実施のさらに他の形態の通信装置１０１の一表面側から見た斜視図である。
【図２４】通信装置１０１の他表面側から見た斜視図である。
【図２５】通信装置１０１の電気的な構成を示すブロック図である。
【図２６】従来の技術の通信装置１の一表面側から見た斜視図である。
【図２７】通信装置１の他表面側から見た斜視図である。
【図２８】他の従来の技術である通信装置２１の一表面側から見た斜視図である。
【図２９】通信装置２１の他表面側から見た斜視図である。
【符号の説明】
３１，７１，８１，９１，１０１　通信装置
３２　第１表示部
３３　第２表示部
３４　撮像部
３４Ａ　受光部
３７　入力部
４６　通信部
【図１】
2004112703.tif 000003
【図２】
2004112703.tif 000004
【図３】
2004112703.tif 000005
【図４】
2004112703.tif 000006
【図５】
2004112703.tif 000007
【図６】
2004112703.tif 000008
【図７】
2004112703.tif 000009
【図８】
2004112703.tif 000010
【図９】
2004112703.tif 000011
【図１０】
2004112703.tif 000012
【図１１】
2004112703.tif 000013
【図１２】
2004112703.tif 000014
【図１３】
2004112703.tif 000015
【図１４】
2004112703.tif 000016
【図１５】
2004112703.tif 000017
【図１６】
2004112703.tif 000018
【図１７】
2004112703.tif 000019
【図１８】
2004112703.tif 000020
【図１９】
2004112703.tif 000021
【図２０】
2004112703.tif 000022
【図２１】
2004112703.tif 000023
【図２２】
2004112703.tif 000024
【図２３】
2004112703.tif 000025
【図２４】
2004112703.tif 000026
【図２５】
2004112703.tif 000027
【図２６】
2004112703.tif 000028
【図２７】
2004112703.tif 000029
【図２８】
2004112703.tif 000030
【図２９】
2004112703.tif 000031